【手続補正書】
【提出日】平成17年8月23日(2005.8.23)
【手続補正１】
【補正対象書類名】明細書
【補正対象項目名】発明の名称
【補正方法】変更
【補正の内容】
【発明の名称】ディジタル信号を転送する方法および装置、チャンネルを変更する方法および装置、並びにプログラム記憶デバイス
【手続補正２】
【補正対象書類名】明細書
【補正対象項目名】特許請求の範囲
【補正方法】変更
【補正の内容】
【特許請求の範囲】
【請求項１】  ディジタル信号を転送する方法であって、
コンテンツ・チャンネル信号を搬送する第１のコンテンツ・ストリームを、ストリーミング・コンテンツの再生レートよりも速いレートで、バッファにおいて受信するステップと、
第１のコンテンツ・ストリームを、コンテンツ・チャンネル信号を搬送する第２のコンテンツ・ストリームに切り換えるステップと、から成り、
前記第２のコンテンツ・ストリームは表示レートでバッファに転送される、前記方法。
【請求項２】  コンテンツ・チャンネル信号がストリーミング・ビデオ・データから成る、請求項１記載の方法。
【請求項３】  コンテンツ・チャンネル信号がストリーミング・オーディオ・データから成る、請求項１記載の方法。
【請求項４】  第１のコンテンツ・ストリームから第２のコンテンツ・ストリームに切り換えるステップが更に、切換えに先立ちバッファが満たされていることを確認するステップを含む、請求項１記載の方法。
【請求項５】  第１のコンテンツ・ストリームから第２のコンテンツ・ストリームに切り換えるステップが更に、切換えに先立ちバッファに所定量のチャンネル・コンテンツ・データが入っていることを確認するステップを含む、請求項１記載の方法。
【請求項６】  前記第２のコンテンツ・ストリームが、マルチキャスト、ブロードキャスト、および非同期転送モード（ＡＴＭ）ポイント‐マルチポイント（ｐｏｉｎｔ‐ｍｕｌｔｉｐｏｉｎｔ）から成る群から選択される形式のものである、請求項１記載の方法。
【請求項７】  ディジタル信号を転送する装置であって、
コンテンツ・チャンネル信号を搬送する第１のコンテンツ・ストリームを、ストリーミング・コンテンツの再生レートよりも速いレートで、バッファにおいて受信する手段と、
第１のコンテンツ・ストリームから、コンテンツ・チャンネル信号を搬送する第２のコンテンツ・ストリームに切り換える手段と、を具え、
前記第２のコンテンツ・ストリームが表示レートでバッファに転送される、前記ディジタル信号を転送する装置。
【請求項８】  第１のディジタル・ビデオ・チャンネルから第２のディジタル・ビデオ・チャンネルに変更する方法であって、
チャンネル変更コマンドを受信するステップと、
第２のディジタル・ビデオ・チャンネルを搬送する第１のビデオ・ストリームを、第１のバッファから少なくとも第２のバッファへ表示レートよりも速いレートで転送するステップと、
第２のディジタル・ビデオ・チャンネルを受信すると直ちに、第１のディジタル・ビデオ・チャンネルから第２のディジタル・ビデオ・チャンネルに変更するステップと、
前記第１のビデオ・ストリームから、第２のディジタル・ビデオ・チャンネルを搬送する第２のビデオ・ストリームに切り換えるステップと、から成り、
前記第２のビデオ・ストリームが表示レートで第２のバッファに転送される、前記方法。
【請求項９】  第１および第２のビデオ・ストリームがディジタル加入者線信号から成る、請求項８記載の方法。
【請求項１０】  第１のビデオ・ストリームから第２のビデオ・ストリームに切り換えるステップが更に、切換えに先立ち第２のバッファが望ましいレベルに満たされていることを確認するステップを含む、請求項８記載の方法。
【請求項１１】  第１のビデオ・ストリームを第１のバッファにほぼ表示レートでロードするステップを更に含む、請求項８記載の方法。
【請求項１２】  チャンネル変更コマンドを受信するステップが更に、第１のバッファと第２のバッファ間の１対１の接続を設定するステップを含む、請求項８記載の方法。
【請求項１３】  前記第２のビデオ・ストリームが、マルチキャスト、ブロードキャストおよびＡＴＭポイント‐マルチポイントのうちの１つである、請求項８記載の方法。
【請求項１４】  ディジタル・ビデオ・チャンネルが、ディジタル加入者線、ケーブル・モデム、およびＩＳＤＮのうちの１つによって第２のバッファに配信される、請求項８記載の方法。
【請求項１５】  機械で読取り可能なプログラム記憶デバイスであって、
第１のディジタル・ビデオ・チャンネルから第２のディジタル・ビデオ・チャンネルに変更する方法のステップを実行するために前記機械で実行可能な命令のプログラムを具体的に実施し、前記方法のステップは、
チャンネル変更コマンドを受信するステップと、
第２のディジタル・ビデオ・チャンネルを搬送する第１のビデオ・ストリームを、表示レートよりも速いレートで第１のバッファから少なくとも第２のバッファに転送するステップと、
第２のディジタル・ビデオ・チャンネルを受信すると直ちに第１のディジタル・ビデオ・チャンネルから第２のディジタル・ビデオ・チャンネルに変更するステップと、そして
第１のビデオ・ストリームから、第２のディジタル・ビデオ・チャンネルを搬送する第２のビデオ・ストリームに切り換えるステップと、から成り、
前記第２のビデオ・ストリームは表示レートで前記第２のバッファに転送される、前記プログラム記憶デバイス。
【請求項１６】  第１のディジタル・ビデオ・チャンネルから第２のディジタル・ビデオ・チャンネルに変更する装置であって、
チャンネル変更コマンドを受信する手段と、
第２のディジタル・ビデオ・チャンネルを搬送する第１のビデオ・ストリームを第１のバッファから少なくとも第２のバッファへ表示レートよりも速いレートで転送する手段と、
第２のディジタル・ビデオ・チャンネルを受信すると直ちに第１のディジタル・ビデオ・チャンネルから前記第２のディジタル・ビデオ・チャンネルに変更する手段と、
第１のビデオ・ストリームから、第２のディジタル・ビデオ・チャンネルを搬送する第２のビデオ・ストリームに切り換える手段と、を具え、
前記第２のビデオ・ストリームは前記第２のバッファに表示レートで転送される、前記チャンネルを変更する装置。
【手続補正３】
【補正対象書類名】明細書
【補正対象項目名】０００７
【補正方法】変更
【補正の内容】
【０００７】
添付されている図面に関して、本発明を以下に詳細に説明する。
特許請求の範囲と実施例との対応関係を実施例で使われている参照番号を用いて示すと以下の通りである。
（請求項１）  ディジタル信号を転送する方法であって、
コンテンツ・チャンネル信号を搬送する第１のコンテンツ・ストリームを、ストリーミング・コンテンツの再生レートよりも速いレート（２０１）で、バッファにおいて受信するステップと、
第１のコンテンツ・ストリームを、コンテンツ・チャンネル信号を搬送する第２のコンテンツ・ストリームに切り換えるステップと、から成り、
前記第２のコンテンツ・ストリームは表示レート（２０２）でバッファに転送される、前記方法。
（請求項２）  コンテンツ・チャンネル信号がストリーミング・ビデオ・データから成る、請求項１記載の方法。
（請求項３）  コンテンツ・チャンネル信号がストリーミング・オーディオ・データから成る、請求項１記載の方法。
（請求項４）  第１のコンテンツ・ストリームから第２のコンテンツ・ストリームに切り換えるステップが更に、切換えに先立ちバッファが満たされていることを確認するステップを含む、請求項１記載の方法。
（請求項５）  第１のコンテンツ・ストリームから第２のコンテンツ・ストリームに切り換えるステップが更に、切換えに先立ちバッファに所定量のチャンネル・コンテンツ・データが入っていることを確認するステップを含む、請求項１記載の方法。
（請求項６）  前記第２のコンテンツ・ストリームが、マルチキャスト、ブロードキャスト、および非同期転送モード（ＡＴＭ）ポイント‐マルチポイント（ｐｏｉｎｔ‐ｍｕｌｔｉｐｏｉｎｔ）から成る群から選択される形式のものである、請求項１記載の方法。
（請求項７）  ディジタル信号を転送する装置であって、
コンテンツ・チャンネル信号を搬送する第１のコンテンツ・ストリームを、ストリーミング・コンテンツの再生レートよりも速いレート（２０１）で、バッファにおいて受信する手段と、
第１のコンテンツ・ストリームから、コンテンツ・チャンネル信号を搬送する第２のコンテンツ・ストリームに切り換える手段と、を具え、
前記第２のコンテンツ・ストリームが表示レート（２０２）でバッファに転送される、前記ディジタル信号を転送する装置。
（請求項８）  第１のディジタル・ビデオ・チャンネルから第２のディジタル・ビデオ・チャンネルに変更する方法であって、
チャンネル変更コマンドを受信するステップと、
第２のディジタル・ビデオ・チャンネルを搬送する第１のビデオ・ストリームを、第１のバッファから少なくとも第２のバッファへ表示レート（２０２）よりも速いレートで転送するステップと、
第２のディジタル・ビデオ・チャンネルを受信すると直ちに、第１のディジタル・ビデオ・チャンネルから第２のディジタル・ビデオ・チャンネルに変更するステップと、
前記第１のビデオ・ストリームから、第２のディジタル・ビデオ・チャンネルを搬送する第２のビデオ・ストリームに切り換えるステップと、から成り、
前記第２のビデオ・ストリームが表示レート（２０２）で第２のバッファに転送される、前記方法。
（請求項９）  第１および第２のビデオ・ストリームがディジタル加入者線信号から成る、請求項８記載の方法。
（請求項１０）  第１のビデオ・ストリームから第２のビデオ・ストリームに切り換えるステップが更に、切換えに先立ち第２のバッファが望ましいレベルに満たされていることを確認するステップを含む、請求項８記載の方法。
（請求項１１）  第１のビデオ・ストリームを第１のバッファにほぼ表示レートでロードするステップを更に含む、請求項８記載の方法。
（請求項１２）  チャンネル変更コマンドを受信するステップが更に、第１のバッファと第２のバッファ間の１対１の接続を設定するステップを含む、請求項８記載の方法。
（請求項１３）  前記第２のビデオ・ストリームが、マルチキャスト、ブロードキャストおよびＡＴＭポイント‐マルチポイントのうちの１つである、請求項８記載の方法。
（請求項１４）  ディジタル・ビデオ・チャンネルが、ディジタル加入者線、ケーブル・モデム、およびＩＳＤＮのうちの１つによって第２のバッファに配信される、請求項８記載の方法。
（請求項１５）  機械で読取り可能なプログラム記憶デバイスであって、
第１のディジタル・ビデオ・チャンネルから第２のディジタル・ビデオ・チャンネルに変更する方法のステップを実行するために前記機械で実行可能な命令のプログラムを具体的に実施し、前記方法のステップは、
チャンネル変更コマンドを受信するステップと、
第２のディジタル・ビデオ・チャンネルを搬送する第１のビデオ・ストリームを、表示レート（２０１）よりも速いレートで第１のバッファから少なくとも第２のバッファに転送するステップと、
第２のディジタル・ビデオ・チャンネルを受信すると直ちに第１のディジタル・ビデオ・チャンネルから第２のディジタル・ビデオ・チャンネルに変更するステップと、そして
第１のビデオ・ストリームから、第２のディジタル・ビデオ・チャンネルを搬送する第２のビデオ・ストリームに切り換えるステップと、から成り、
前記第２のビデオ・ストリームは表示レート（２０２）で前記第２のバッファに転送される、前記プログラム記憶デバイス。
（請求項１６）  第１のディジタル・ビデオ・チャンネルから第２のディジタル・ビデオ・チャンネルに変更する装置であって、
チャンネル変更コマンドを受信する手段と、
第２のディジタル・ビデオ・チャンネルを搬送する第１のビデオ・ストリームを第１のバッファから少なくとも第２のバッファへ表示レート（２０１）よりも速いレートで転送する手段と、
第２のディジタル・ビデオ・チャンネルを受信すると直ちに第１のディジタル・ビデオ・チャンネルから前記第２のディジタル・ビデオ・チャンネルに変更する手段と、
第１のビデオ・ストリームから、第２のディジタル・ビデオ・チャンネルを搬送する第２のビデオ・ストリームに切り換える手段と、を具え、
前記第２のビデオ・ストリームは前記第２のバッファに表示レート（２０２）で転送される、前記チャンネルを変更する装置。